(57)【特許請求の範囲】
【請求項１】
電気および／または電子モジュール（１０）と、回路支持体（１２）と、を有する装置であって、
前記電気および／または電子モジュール（１０）の少なくとも１つの電気接続線路（１４）が、前記回路支持体（１２）の凹部（１６）に収容され、
少なくとも１つの挟み込み装置（１８ａ，１８ｂ，１８ｃ，１８ｄ）が、前記少なくとも１つの接続線路（１４）を、前記凹部（１６）に挿入した後、前記凹部（１６）に固定する装置において、
前記少なくとも１つの挟み込み装置（１８ｃ，１８ｄ）は、少なくとも１つの波形起伏部（２８ｃ，２８ｄ）を有しており、
前記波形起伏部（２８ｃ，２８ｄ）は、前記接続線路（１４）を前記凹部（１６）に挿入した際に塑性変形し、
前記少なくとも１つの挟み込み装置（１８ｃ）は、前記凹部（１６）に配置されるスリーブ（３０ｃ）を有しており、
前記スリーブ（３０ｃ）はその内面に少なくとも部分的に波形起伏部（２８ｃ）を有する、
ことを特徴とする装置。
【請求項２】
電気および／または電子モジュール（１０）と、回路支持体（１２）と、を有する装置であって、
前記電気および／または電子モジュール（１０）の少なくとも１つの電気接続線路（１４）が、前記回路支持体（１２）の凹部（１６）に収容され、
少なくとも１つの挟み込み装置（１８ａ，１８ｂ，１８ｃ，１８ｄ）が、前記少なくとも１つの接続線路（１４）を、前記凹部（１６）に挿入した後、前記凹部（１６）に固定する装置において、
前記少なくとも１つの挟み込み装置（１８ｃ，１８ｄ）は、少なくとも１つの波形起伏部（２８ｃ，２８ｄ）を有しており、
前記波形起伏部（２８ｃ，２８ｄ）は、前記接続線路（１４）を前記凹部（１６）に挿入した際に塑性変形し、
少なくとも１つのセンタリング装置（１９）が設けられており、
前記センタリング装置（１９）は、接続線路側のセンタリング体（２０）と、前記接続線路側のセンタリング体（２０）と協調動作する回路支持体側のセンタリング体（３８）と、を有する、
ことを特徴とする装置。
【請求項３】
電気および／または電子モジュール（１０）と、回路支持体（１２）と、を有する装置であって、
前記電気および／または電子モジュール（１０）の少なくとも１つの電気接続線路（１４）が、前記回路支持体（１２）の凹部（１６）に収容され、
少なくとも１つの挟み込み装置（１８ａ，１８ｂ，１８ｃ，１８ｄ）が、前記少なくとも１つの接続線路（１４）を、前記凹部（１６）に挿入した後、前記凹部（１６）に固定する装置において、
前記少なくとも１つの挟み込み装置（１８ｃ，１８ｄ）は、少なくとも１つの波形起伏部（２８ｃ，２８ｄ）を有しており、
前記波形起伏部（２８ｃ，２８ｄ）は、前記接続線路（１４）を前記凹部（１６）に挿入した際に塑性変形し、
複数のセンタリング体（２０，３８）が、１つの構成ユニット（３２，３３，３４）に統合されている、
ことを特徴とする装置。
【請求項４】
前記少なくとも１つの挟み込み装置（１８ｄ）は波形起伏部（２８ｄ）を有しており、
前記波形起伏部（２８ｄ）は、前記少なくとも１つの電気接続線路（１４）を少なくとも部分的に包囲する、
請求項２または３に記載の装置。
【請求項５】
前記少なくとも１つの電気接続線路（１４）は曲げ耐性を有するように構成されている、
請求項１から４のいずれかに記載の装置。
【発明の詳細な説明】
【技術分野】
【０００１】
従来の技術
本発明は、独立請求項１の上位概念に記載された電気および／または電子モジュールと、回路支持体とを有する装置を出発点とする。
【０００２】
接続線路ないしは接続ワイヤを回路支持体に電気的に接触接続するためには、ふつう電気および／または電子モジュールを取り付ける際にはんだ付け法またはいわゆる圧入技術を使用する。はんだ付け法の場合にはふつう上記の回路支持体上にはんだペースト個所が種々異なる方法によって、例えばスクリーン印刷またはディスペンサなどによって載置され、引き続いて接続ワイヤが、例えばリフローはんだ法または選択的はんだ法によってはんだ付けされる。このためには相応する接続ワイヤはふつう、はんだ付け可能な表面を有する必要があり、すなわち相応にコーティングしなければならないのである。しかしながら上記の電気および／または電子モジュールの一部がすでに取り付けられた状態で上記の接触接続を行いたい場合には、はんだ付け法を適用するため、上記の接触接続位置にはアクセスできなければならない。これにより、電気および／または電子モジュールの構成上の形態ならびに製造フローについて制限が生じてしまうのである。いわゆる圧入技術では、専用に成形されたフレキシブルないわゆる圧入ゾーンが接続ワイヤに取り付けられ、プリント基板に配置されるスリーブに圧入される。しかしながらこの圧入技術は、許容公差について所定の要求が課され、殊に取り付けの際の圧入深さについて要求が課されるのである。
【０００３】
公開特許公報DE 10 2007 041 904 A1には、例えば電気および／または電子モジュールと、回路支持体とを有する装置が記載されており、ここでは、電気および／または電子モジュールの少なくとも１つの電気接続線路は、いわゆる貫通差込形コンタクトの形態で回路支持体の凹部に入れることができる。引き続き、モジュールの接続ワイヤは、例えばリフローはんだ法によって回路支持体の凹部にはんだ付けされるのである。
【０００４】
発明の開示
これに対して、請求項１に記載した特徴的構成を備えた、電気および／または電子モジュールと、回路支持体とを有する本発明の装置の利点は、少なくとも１つの挟み込み装置が設けられており、この挟み込み装置は、上記の少なくとも１つの接続線路を凹部に挿入した後、凹部に固定することである。
【０００５】
本発明の複数の実施形態により、簡単かつコスト的に有利な手法で上記の電気および／または電子モジュールと、回路支持体との確実で直接的な接触接続が可能になる。このことが意味するのは、有利にはワイヤとして実施されかつ回路支持体へ至る、電気および／また電子モジュールの接続線路を直接的に差込接触接続できることである。上記の２つの構成部分を取り付けないし接合させる際には、電気および／または電子モジュールの少なくとも１つの電気接続線路は、回路支持体の凹部に挿入され、挟み込み装置を介して挿入する際に凹部に固定される。有利にもこれによって接触接続個所のアクセスについて要求が課されることがないため、２つの構成部分のいわゆる取り付け部の見えない接合が可能になり、またこれによってこの装置の簡単な全体取り付けが可能になるのである。本発明の重要な利点は、電気および／または電子モジュールに設けられている巻線ワイヤないしは相端子として実施される接続線路が、例えばいわゆる接続プレートなどの中間接触接続素子なしにかつワイヤの個数とは無関係に回路支持体に直接接続できることである。したがって有利にも必要なコンポーネント全体を回路支持体に直接組み立てることができ、これによって許容誤差の問題なしに良好な放熱が得られる。さらにこの装置は、接続線路の挿入深さないしは圧入深さにおける比較的大きな許容誤差も、すなわち２つの構成部分を取り付ける際の比較的大きな許容誤差も許容することができる。また上記の接続線路には専用の表面が必要でないため、高い材料コストないしはコストのかかる加工ステップを省略することができる。本発明は有利にも、接続線路ないしはワイヤを電気的に接触接続させなければならないすべての接続部において使用することができる。
【０００６】
従属請求項に記載した手段および発展形態により、電気および／または電子モジュールと、回路支持体とを有する独立請求項１に記載された装置の有利な改良が可能になる。
【０００７】
本発明による装置の実施形態において上記の少なくとも１つの電気接続線路は実質的に曲げ耐性を有するように構成される。このために上記の少なくとも１つの電気接続線路は有利には、保持素子によって補強されて包囲される。これによって有利にも接続線路の高い形状安定性が得られ、この形状安定性により、上記の回路支持体への電気および／または電子モジュールの取り付けが格段に容易になる。したがって上記の２つの構成部分の接合は、目視なしに行うことができる。それは接続線路が曲がらないかないしは折り曲がることがなく、したがって予期しない個所に位置してしまうことがないからである。これによって殊に上記の２つの構成部分の確実な接触接続が、接続線路ないしはワイヤの個数には無関係に保証される。全体として上記の電気および／または電子モジュールと、回路支持体との簡単かつ確実な取り付けがわずかな力だけで得られる。
【０００８】
本発明による装置の別の実施形態において、上記の少なくとも１つの挟み込み装置は、少なくとも１つのばね弾性的に変形可能な舌片を有しており、この舌片は、上記の凹部に接続線路を挿入した際に挿入方向にばね弾性的に変形する。有利にもこのばね弾性的に変形可能な挟み込み装置の舌片は、電気接続線路を挟み込み装置に挿入する際の力が小さいことにより、また挿入した電気接続線路に作用する上記の舌片の保持力ないしは挟み込み力が大きいことにより、電気および／または電子モジュールの接続線路を回路支持体の凹部に固定するのに殊に適している。
【０００９】
本発明による装置の別の実施形態において、上記の少なくとも１つの挟み込み装置には、ばね弾性的に変形可能な舌片を備えた貫通開口部を有する戻り止めプレート素子が含まれており、この戻り止めプレート素子は、凹部を覆って回路支持体に接している。この戻り止めプレート素子は、簡単な１回の打ち抜きプロセスによって作製することができ、この際には円形プレートからクローバ葉形構造が打ち抜かれるため、ばね弾性的に変形可能な複数の舌片が残ることになる。したがってこれは、コスト的に有利に作製可能な大量生産構成部分であり、この構成部分は簡単に回路支持体に固定することができる。上記の接続線路を戻り止めプレート素子に圧入する際には舌片が変形し、有利にも戻り止めプレート素子と接続線路との間の形状結合的な接続が行われる。上記の接続線路の長さを十分に吟味して選択すれば、このタイプの接触接続は許容誤差の影響を受けない。有利にもこれによって接触接続個所へのアクセスについて要求が課されることがなくなり、２つの構成部分のいわゆる取り付け部の見えない接合が可能になり、ひいては取り付けコストを節約することができる。
【００１０】
本発明による装置の別の実施形態において、上記の少なくとも１つの挟み込み装置は、回路支持体に配置された輪郭部を有しており、この輪郭部は、ばね弾性的に変形可能な少なくとも１つの舌片を構成している。回路支持体に一体化可能であるために取り付けスペースが節約されるこの輪郭部は、殊にコスト的に有利に作製可能であり、また上記の接続線路が、回路支持体に一体化される輪郭部に簡単に直接差し込まれてそこに固定することができることにより、有利にも上記の種々異なる要求を満たすのである。この取り付けは、許容誤差に対し、殊に圧入深さに対して影響を受けにくい。
【００１１】
本発明による装置の別の実施形態において、少なくとも１つの挟み込み装置は、少なくとも１つの波形起伏部を有しており、この波形起伏部は、上記の凹部に接続線路を挿入した際に塑性変形する。ここで上記の挟み込み装置は、例えば上記の凹部に配置されるスリーブを有しており、このスリーブはその内側面に少なくとも部分的に波形起伏部を有する。本発明の実質的な利点は、上記の電気接続線路が、専用の表面を必要としないことであり、また接合の際には電気接続線路と挟み込み装置との確実な形状結合が得られることである。上記の電気および／または電子モジュールと、回路支持体との接触接続は、接続線路を波形起伏付きのスリーブに圧入することによって行われる。この際にはスリーブの波形起伏部は塑性変形して、波形起伏付きのスリーブと接続ワイヤとの間で形状結合による接続が行われる。上記のワイヤ長さを十分に吟味して選択すれば、このタイプの接触接続も同様に許容誤差の影響を受けない。これによって有利にも接触接続個所へのアクセスについて要求が課されることがないため、この実施形態においても２つの構成部分のいわゆる取り付け部の見えない接合が可能になり、ひいては取り付けコストを節約することができる。本発明にしたがって上記の挟み込み装置を構成することにより、コストおよび時間のかかる作業ステップ、例えばはんだ付けを省略することができる。
【００１２】
さらに上記の挟み込み装置は、例えば波形起伏部を有することができ、この波形起伏部は、上記の少なくとも１つの電気接続線路を少なくとも部分的に包囲する。この場合、上記の接続線路は、回路支持体に配置されたスリーブに直接圧入することができる。有利にも上記の電気接続線路を挟み込み装置に挿入する際には波形起伏部の可塑変形により、確実な形状結合接続部が得られる。この接触接続手法は、接続線路の長さを適切に選択するかないしは接続線路における波形起伏部の長さを適切に選択した場合、許容誤差の影響を受けにくくなるため、接触接続個所のアクセスについての特別な要求が課されることがなく、取り付けコストを節約しながら２つの構成部分の取り付け部の見えない接合を行うことができる。さらにこの接触接続手法は極めて経済的である。それは、公知の通常の後処理をすべて省略できるからである。
【００１３】
本発明による装置の別の実施形態では、接続線路側のセンタリング体と、この接続線路側のセンタリング体と協調動作する回路支持体側のセンタリング体とを備えた少なくとも１つのセンタリング装置が設けられる。有利にもこれによって電気および／または電子モジュールと、回路支持体との迅速かつ一層確実な取り付けないしは迅速かつ一層確実な接合が可能になる。それは、上記の接続線路が、取り付け時ないしは接合時にセンタリング装置を介して自動的にセンタリングされるからである。これによって有利にも上記の凹部への接続線路の一層確実な挿入が保証され、ひいては上記のモジュールと回路支持体との一層確実な接触接続が保証されるのである。
【００１４】
有利には複数のセンタリング体は１つの構成ユニットにまとめられる。本発明による構成により、複数のセンタリング体をコスト的に有利に作製することができ、また上記の装置にセンタリング体を簡単に取り付けることができる。それは、この際にはセンタリング体をもはや個々に作製して取り付ける必要がないからである。
【００１５】
本発明の実施例を図面に示し、以下の説明において詳述する。
【図面の簡単な説明】
【００１６】
【図１】接続線路を備えた電気および／または電子モジュールと、この接続線路を収容するための凹部を備えた回路支持体とを有する本発明の装置の実施例を取り付けが行われていない状態で示した断面図である。
【図２】図１の装置を取り付けが行われた状態で示す概略断面図である。
【図３】センタリング体として実施された保持素子によって補強されて包囲された、電気および／または電子モジュールの接続線路の概略断面図である。
【図４】挟み込み装置の第１実施例によって回路支持体の凹部に固定される接続線路を示す概略断面図である。
【図５】戻り止めプレートとして実施された図４の挟み込み装置の概略断面図である。
【図６】戻り止めプレートとして実施された図４および５の挟み込み装置の別の概略平面図である。
【図７】それぞれ戻り止めプレートとして実施された挟み込み装置にわたって配置された複数のセンタリング体の概略平面図である。
【図８】それぞれ戻り止めプレートとして実施された挟み込み装置にわたって配置された複数のセンタリング体の別の概略平面図である。
【図９】１つずつの接続線路を包囲する複数の保持素子の概略平面図である。
【図１０】電気および／または電子回路ユニットと、接続線路用の挟み込み装置の第２実施例とを有する回路支持体を示す概略平面図である。
【図１１】図１０の挟み込み装置の第２実施例を有しかつ保護ペーストによって包囲された回路支持体を示す平面図である。
【図１２】挟み込み装置の第３の実施例の概略断面図である。
【図１３】カラーを有するスリーブとして実施された図１２の挟み込み装置を示す概略斜視図である。
【図１４】カラーを有するスリーブとして実施された図１２および１３の挟み込み装置の概略平面図である。
【図１５】挟み込み装置の第４の実施例を示す概略断面図である。
【図１６】電気接続線路を少なくとも部分的に包囲する波形起伏部として実施された、図１５の挟み込み装置を示す側面図である。
【図１７】図１５および１６の挟み込み装置を示す平面図である。
【００１７】
本発明の実施形態
図１および２からわかるように本発明の装置には電気および／または電子モジュール１０と、回路支持体１２とが含まれており、この装置では電気および／または電子モジュール１０の少なくとも１つの電気接続線路１４は、回路支持体１２の凹部１６に入れることができる。この実施例において電気および／または電子モジュール１０は電動機であり、また電気接続線路１４はこの電動機のコイルワイヤである。回路支持体１２には有利にはプリント基板および／または基板が含まれている。この基板は有利にはプラスチック基板またはセラミック基板として実施されている。この実施例において回路支持体１２は有利にはプレート状であり、その外形は有利には矩形に実施されている。
【００１８】
上記の電気および／または電子モジュール１０には有利には、この電気および／または電子モジュール１０の底部領域４６を越えて突出しかつこの電気および／または電子モジュール１０に固定されるケーシング素子４８が含まれており、このケーシング素子４８によって回路支持体１２が収容される。
【００１９】
図１，２，１０および１１からわかるように回路支持体１２には少なくとも１つの電気および／また電子回路ユニット３６が取り付けられている。また回路支持体１２は、電気および／または電子モジュール１０を電気接続するための、ないしは電気および／または電子モジュール１０の電気接続線路１４を収容するための２つの凹部１６を有する。これらの実施例では上記の凹部１６は、貫通式の差込開口部として構成されている。
【００２０】
付加的な接触接続素子なしに電気および／または電子モジュール１０の少なくとも１つの接続線路１４と回路支持体１２との直接的かつ確実な接触接続を可能にし、ならびに２つの構成部材１０，１２の取り付け部の見えない接合を可能にするため、本発明によれば上記の装置には少なくとも１つの挟み込み装置１８ａ，１８ｂ，１８ｃおよび１８ｄが含まれており、この挟み込み装置は、上記の少なくとも１つの接続線路１４を凹部１６に挿入した後、これをこの凹部１６に固定する。
【００２１】
接合ないしは取り付け過程時にモジュール１０の接続線路１４の曲げないしは折り曲げを防ぐことにより、電気および／または電子モジュール１０と、回路支持体１２との目視のない接合ないしは取り付けを可能にするため、上記の少なくとも１つの電気接続線路１４を接触接続領域において実質的に曲げに対して耐性があるように構成する。このために図１ないし４に示した保持素子２０により、上記の少なくとも１つの電気接続線路１４を補強して包囲する。保持素子２０は、接続線路１４を軸方向に案内するために使用され、また有利にはプラスチック部分として実施される。この実施例において保持素子２０は、回路支持体１２を収容するのに使用される、電気および／または電子モジュール１０のケーシング素子４８に固定される。
【００２２】
保持素子２０は有利には接続線路１４に圧入される。これにより、電気接続線路１４の自由端部は、有利にも保持素子２０によって殊に良好に補強されて軸方向に案内されるため、電気接続線路１４は、形状安定性についてのサポートが得られ、またこれによって２つの構成部分１０，１２を取り付ける際の曲げないしは折り曲げに対して保護されるのである。取り付けの際にはまず保持素子２０が、接続線路１４ないし接続ワイヤにわたって押し込まれる。この接続ワイヤ１４はつぎに絶縁被膜が除去される。引き続いて接続ワイヤ１４の端部が成形される。ここでこれは、保持素子２０を軸方向に保護するため、またガイド先端部を形成するため、型押しによって行われる。続いて接続ワイヤ１４を短くする。
【００２３】
図４ないし１１に示した第１の動作原理によれば、上記の少なくとも１つの挟み込み装置１８ａ，１８ｂには、少なくとも１つのばね弾性的に変形可能な舌片２２ａ，２２ｂが含まれており、これらは、接続線路１４を凹部１６に挿入した際に挿入方向２４に曲がる。
【００２４】
図４ないし６に示した第１の動作原理の第１実施形態ないしは第１変形形態において、上記の少なくとも１つの挟み込み装置には、ばね弾性的に変形可能な複数の舌片２２ａを備えた貫通開口部２６を有する戻り止めプレート素子１８ａが含まれており、戻り止めプレート素子１８ａは、凹部１６を覆って回路支持体１２に接している。戻り止めプレート素子１８ａは、簡単な１回の打ち抜きプロセスによって作製することができ、この際には円形プレートからクローバ葉形構造が打ち抜かれるため、ばね弾性的に変形可能な複数の舌片２２ａが残ったままになる。戻り止めプレート素子１８ａは回路支持体１２にはんだ付けされて、戻り止めプレート素子１８ａの中心部ないしは戻り止めプレート素子１８ａの貫通開口部２６が、回路支持体１２の凹部１６の上になるようにする。この場合、戻り止めプレート素子１８ａの貫通開口部２６ないしはこの中心部を通して、接続線路１４を圧入することができる。この際には戻り止めプレート素子１８ａの舌片２２ａは変形して、戻り止めプレート素子１８ａと、接続線路１４ないしは接続ワイヤとの間の形状結合部が得られる。
【００２５】
図１０ないし１１に示した第１の動作原理の第２実施形態ないしは第２変形形態において、上記の少なくとも１つの挟み込み装置には、回路支持体１２に配置した輪郭部１８ｂが含まれており、この輪郭部は、ばね弾性的に変形可能な少なくとも１つの舌片２２ｂを構成する。ここでは回路支持体１２の一体化された輪郭部１８ｂに、接続線路１４ないしは接続ワイヤを直接差し込むないしは挿入することができる。少なくとも１つの輪郭部１８ｂは有利には、有利にはプラスチックによって押出被覆した回路支持体１２のリードフレームに形成される。
【００２６】
図１１には、保護ペースト５０によって包囲されかつ挟み込み装置１８ｂを有する第２実施形態の回路支持体１２が示されており、保護ペースト５０は、挟み込み装置１８ｂの領域の凹部の下で回路支持体１２を包囲する。
【００２７】
図１，２，４，７および８に示した装置は有利には少なくとも１つのセンタリング装置１９を有しており、このセンタリング装置は、接続線路側のセンタリング体２０、および接続線路側のセンタリング体２０と協働動作する回路支持体側のセンタリング体３８を備えている。これらの実施例では、接続線路１４用の補強素子として設けられる保持素子２０は同時に、本発明によるセンタリング装置１９の一部として、ないしはセンタリング装置１９の接続線路側のセンタリング体２０として構成されている。貫通開口部４０を備えた回路支持体側のセンタリング体３８は、その貫通開口部４０が、回路支持体１２の凹部１６と面が揃うように挟み込み装置１８ａ，１８ｂ，１８ｃ，１８ｄの領域に配置される。２つの構成部分１０，１２を取り付ける際には接続線路側のセンタリング体２０は少なくとも部分的に回路支持体側のセンタリング体３８に収容される。
【００２８】
図７ないし９からわかるように複数のセンタリング体２０，３８は１つの構成ユニット３２，３３，３４にまとめることができる。図７には一列に配置された回路支持体側の複数のセンタリング体が示されており、これらは１つの四角形の構成ユニット３２にまとめられている。図８には円弧状に配置された回路支持体側の複数のセンタリング体３８が示されており、これらは、１つの弧状の構成ユニット３４にまとめられている。ここではリング状の構成ユニットを考えることもできる。図９には弧状に配置された接続線路側の複数のセンタリング体２０が示されており、これらは、１つの弧状の構成ユニット３３にまとめられている。ここではリング状の構成ユニットを考えることもできる。ここで個々のセンタリング体２０は、メアンダ状の構造体３３．１を介して互いに接続されており、また構成ユニット３３のリングないしは弧３３．２に接続されている。
【００２９】
図１２ないし１７に示した第２の動作原理によれば、上記の少なくとも１つの挟み込み装置１８ｃ，１８ｄには、少なくとも１つの波形起伏部２８ｃ，２８ｄが含まれており、この波形起伏部は、接続線路１４を凹部１６に挿入した際に塑性変形する。
【００３０】
図１２ないし図１４に示した第２の動作原理の第１の変形形態ないしは第３の実施形態において、少なくとも１つの挟み込み装置１８ｃには、凹部１６に配置されるスリープ３０ｃが含まれており、このスリーブは、その内側面に少なくとも部分的に波形起伏部２８ｃを有する。スリーブ３０ｃは、打ち抜き、深絞りおよび型押しによって作製可能である。その内径は、接触接続する接続線路１４の外径よりもわずかに小さい。型押しした波形起伏部２８ｃの配向は有利にはスリーブ３０ｃの長手方向軸４４に平行である。スリーブ３０ｃは有利にはスリーブ形状の、波形起伏部２８ｃを備えた部分３０ｃ．１を有しており、これにカラー部３０ｃ．２が続いている。波形起伏付きのスリーブ３０ｃはそのスリーブ形の部分３０ｃ．１と共に凹部１６に入れられ、そのカラー部３０ｃ．２を介して回路支持体１２にはんだ付けされる。接続線路１４は、スリーブ３０ｃに圧入される。この際にスリーブ３０ｃの波形起伏部２８ｃは塑性変形して、波形起伏付きのスリーブ３０ｃと接続線路１４との間の形状結合による接続が行われる。
【００３１】
図１５ないし１７に示した第２の動作原理の第２の変形形態ないしは第４実施形態において、少なくとも１つの挟み込み装置１８ｄは、波形起伏部２８ｄを有しており、この波形起伏部は、少なくとも１つの電気接続線路１４を少なくとも部分的に包囲している。このために接続線路ないしは接続ワイヤ１４は相応に加工され、有利には型押しされて波形起伏部２８ｄが設けられる。この場合に波形起伏部２８ｄを備えた接続線路１４は、回路支持体１２に入れられた差込スリーブ４２に直接圧入されるかまたは回路支持体１２に直接圧入される。ここでも波形起伏部２８ｄの塑性変形により、形状結合による接続が行われる。
【００３２】
２つの構成部分１０，１２を取り付けないし接合させる際には、電気および／または電子モジュール１０の少なくとも１つの電気接続線路１４は、回路支持体１２の凹部１６に挿入され、挿入の際には挟み込み装置１８ａ，１８ｂ，１８ｃ，１８ｄによって凹部１６に固定される。有利には電気および／または電子モジュール１０のすべての電気接続線路１４は、１つの作業ステップにおいて回路支持体１２の１つずつの凹部１６に挿入され、挿入の際には本発明による挟み込み装置１８ａ，１８ｂ，１８ｃ，１８ｄによって凹部１６に固定される。
【図１】
0005528584.tif 000002
【図２】
0005528584.tif 000003
【図３】
0005528584.tif 000004
【図４】
0005528584.tif 000005
【図５】
0005528584.tif 000006
【図６】
0005528584.tif 000007
【図７】
0005528584.tif 000008
【図８】
0005528584.tif 000009
【図９】
0005528584.tif 000010
【図１０】
0005528584.tif 000011
【図１１】
0005528584.tif 000012
【図１２】
0005528584.tif 000013
【図１３】
0005528584.tif 000014
【図１４】
0005528584.tif 000015
【図１５】
0005528584.tif 000016
【図１６】
0005528584.tif 000017
【図１７】
0005528584.tif 000018